(57)【要約】      （修正有）【課題】スポットクーラに装着することで、スポットクーラからの冷風を室内に万遍なく行き渡らせることができると共に、室内の美観を損なうことのないスポットクーラ用拡散送風器を提供する。【解決手段】回転翼２０と回転翼２０を回転可能な状態で収容した本体部３０とを有し、本体部３０の背面にはスポットクーラの送風口に接続可能に形成され、スポットクーラから供給される冷風を本体部３０の内部空間に誘導するための冷風取込部が設けられ、本体部３０の正面には、冷風取込部から取り込まれた冷風を回転翼２０により撹拌させた後に本体部３０から放出する拡散風放出部３３が配設されていることを特徴とするスポットクーラ用拡散送風器１０である。【選択図】図１
0003184275.tif 000002
【実用新案登録請求の範囲】
【請求項１】
回転翼と、該回転翼を回転可能な状態で収容した本体部と、を有し、
前記本体部の背面には、スポットクーラの送風口に接続可能に形成され、前記スポットクーラから供給される冷風を前記本体部の内部空間に誘導するための冷風取込部が設けられ、
前記本体部の正面には、前記冷風取込部から取り込まれた冷風を前記回転翼により撹拌させた後に前記本体部から放出する拡散風放出部が配設されていることを特徴とするスポットクーラ用拡散送風器。
【請求項２】
前記回転翼は、前記冷風取込部から取り込まれた冷風により回転することを特徴とする請求項１記載のスポットクーラ用拡散送風器。
【請求項３】
前記拡散風放出部には、前記回転翼の回転軸と同一軸線上位置で保持されていると共に、前記本体部に対して回転可能な通風カバーが装着されていることを特徴とする請求項１または２記載のスポットクーラ用拡散送風器。
【請求項４】
前記本体部には前記本体部を支持する支持部材が取り付けられていて、
当該支持部材に支持部が取り付けられていることを特徴とする請求項１〜３のうちのいずれか一項に記載のスポットクーラ用拡散送風器。
【請求項５】
前記支持部材には、長手方向に所要間隔をあけた複数箇所に係止部が形成されていて、
前記支持部材は、前記支持部に沿って移動可能であると共に、前記係止部において前記支持部に係止可能であることを特徴とする請求項４記載のスポットクーラ用拡散送付器。
【考案の詳細な説明】
【技術分野】
【０００１】
本考案は、スポットクーラ用拡散送風器に関する。
【背景技術】
【０００２】
夏場の工場等における作業者の作業環境を向上するための装置の一例としてスポットクーラと呼ばれるものがある。
スポットクーラは、発生させた冷風をダクトにより供給する形態である。これにより、冷風が必要な場所にピンポイントに冷風を供給することができるため、冷風が拡散せず、個々の作業者に直接冷風を供給することが可能になる点において好都合であり、広く好適に用いられてきた。
【０００３】
このように、スポットクーラは冷風をピンポイントに供給する際においては好都合であるが、反面、広範囲にわたって冷風を供給したい場合においては不都合である。
スポットクーラを本来のスポットクーラとして使用する形態の他に、広範囲にも冷風を供給することができれば、スポットクーラをさらに有効に利用することができる。
このような温度（および／または湿度）調整された空気を局所的に供給するスポットクーラに代表される空調装置を用いて、広範囲に調整空気を供給することを可能にした空気循環装置の構成例が特許文献１に開示されている。
【先行技術文献】
【特許文献】
【０００４】
【特許文献１】特開２００２−１３７７０号公報
【考案の概要】
【考案が解決しようとする課題】
【０００５】
特許文献１に記載されている空気循環装置によれば、温度（および／または湿度）調整された空気が室内の一部で滞留することがなく、室内全体に調整空気を行き渡らせることができる。しかしながら室内にダクトが敷設されることになるため、室内の美観が損なわれてしまうといった課題がある。
【０００６】
そこで本考案は、既存のスポットクーラに装着することで、スポットクーラからの冷風を広範囲に行き渡らせることができると共に、室内の美観を損なうことのないスポットクーラ用拡散送風器の提供を目的としている。
【課題を解決するための手段】
【０００７】
上記課題を解決するために本考案者は鋭意研究を行った結果、以下の構成に想到した。
すなわち、回転翼と、該回転翼を回転可能な状態で収容した本体部と、を有し、前記本体部の背面には、スポットクーラの送風口に接続可能に形成され、前記スポットクーラから供給される冷風を前記本体部の内部空間に誘導するための冷風取込部が設けられ、前記本体部の正面には、前記冷風取込部から取り込まれた冷風を前記回転翼により撹拌させた後に前記本体部から放出する拡散風放出部が配設されていることを特徴とするスポットクーラ用拡散送風器である。
これにより、室内の美観を損なうことなくスポットクーラからの冷風を広範囲に供給することが可能になる。
【０００８】
また、前記回転翼は、前記冷風取込部から取り込まれた冷風により回転することが好ましい。これにより、電力を消費することなく冷風の撹拌供給をすることができる。
【０００９】
また、前記拡散風放出部には、前記回転翼の回転軸と同一軸線上位置で保持されていると共に、前記本体部に対して回転可能な通風カバーが装着されていることが好ましい。これにより、回転翼で撹拌された冷風を通風カバーの回転によりさらに撹拌することができる。また、スポットクーラ用拡散送風器の通風カバーの状態を見ることで、スポットクーラの稼働状態を把握することもできる。
【００１０】
また、前記本体部には前記本体部を支持する支持部材が取り付けられていて、当該支持部材に支持部が取り付けられていることが好ましい。これによりスポットクーラ用拡散送風器を自立させることができる。
また、前記支持部材には、長手方向に所要間隔をあけた複数箇所に係止部が形成されていて、前記支持部材は、前記支持部に沿って移動可能であると共に、前記係止部において前記支持部に係止可能であることがさらに好ましい。これにより、拡散風放出部が設けられた本体部の高さ位置の調整が可能になり、拡散させた冷風を遠方まで供給させることができ、任意の位置に冷風を供給することもできる。
【考案の効果】
【００１１】
本考案にかかる構成を採用することにより、室内の美観を損なうことがなく、スポットクーラからの冷風を室内の広範囲に行き渡らせることが可能なスポットクーラ用拡散送風器を提供することができる。
【図面の簡単な説明】
【００１２】
【図１】本実施形態に係るスポットクーラ用拡散送風器の正面図である。
【図２】本実施形態に係るスポットクーラ用拡散送風器の背面図である。
【図３】本実施形態に係るスポットクーラ用拡散送風器の本体部側面図である。
【図４】本体部の高さ位置を変更した状態を示す正面図である。
【考案を実施するための最良の形態】
【００１３】
以下、本考案にかかるスポットクーラ用拡散送風器の実施形態について図面に基づいて具体的に説明する。
図１に示すように、本実施形態にかかるスポットクーラ用拡散送風器１０は、回転翼２０を収容する本体部３０と、支持部材４０を介して本体部３０を保持する支持部５０とを有している。
【００１４】
本体部３０は、図２に示すように、正面側部３２と背面側部３４とがねじ留めにより一体に組み立てられている。このようにして組み立てられた本体部３０の内部空間には、回転翼２０が回転可能に収容されている。本体部３０の正面側部３２には、複数条の湾曲した放射形状をなすスリット３３が形成された通風カバー３５が装着されている。本実施形態においては、通風カバー３５が装着されている正面側部３２の正面は拡散風放出部の一部を構成する開口面に形成されている。
すなわち本実施形態においては、本体部３０の正面側部３２に形成された開口面と、複数条の湾曲した放射形状をなすスリット３３によって拡散風放出部が構成されていることになる。
【００１５】
通風カバー３５は、図１に示すように円板形状に形成されている。通風カバー３５の外径寸法は正面側部３２の外周縁よりも小径寸法に形成されている。通風カバー３５の正面中心位置には、蓋体３６が取り付けられている。蓋体３６の背面側には、本体部３０の背面側に向って延びるロッド（図示せず）が取り付けられている。図示しないロッドの先端側における所要範囲には、ねじ山が形成されている。このねじ山は本体部３０の背面側部３４に雌ねじ部が形成されていて、背面側部３４とロッドが連結可能になっている。
【００１６】
回転翼２０は、背面側部３４に連結された蓋体３６のロッドが回転軸となるように保持された状態で本体部３０の内部空間に収容されている。
通風カバー３５もまた、蓋体３６のロッドに保持された状態で本体部３０に取り付けられている。本実施形態における通風カバー３５は、本体部３０の正面側部３２の開口面を覆うように装着されているが、正面側部３２には固定されておらず、蓋体３６のロッドにより回転翼２０と同一軸線上で回転可能な状態で本体部３０に保持されている。本実施形態においては、拡散風放出部である複数条のスリット３３を通過する冷風の運動エネルギーが通風カバー３５の回転駆動源になっている。
【００１７】
以上のようにして本体部３０に装着された通風カバー３５および回転翼２０は、蓋体３６のロッドを背面側部３４から外すだけで本体部３０から分離させることができる。
このような構成を採用することにより、通風カバー３５および回転翼２０のメンテナンス性を良好にすることができる。
【００１８】
図３に示すように、本体部３０の背面側部３４には、図示しないスポットクーラの送風口であるダクトが接続可能であり、スポットクーラからの冷風を本体部３０の内部空間に誘導するための冷風取込部３７が設けられている。冷風取込部３７は、背面側部３４に一体に形成されていて、背面側部３４側の所要長さ範囲部分の内部空間（内径寸法）が、背面側部３４に接近するに伴って徐々に拡径する形状に形成されている。本実施形態においては、冷風取込部３７の外径寸法をスポットクーラのダクトの内径寸法と同径寸法に形成し、ダクトと冷風取込部３７直接連結させる構成としているが、図示しないアダプタを介してダクトと冷風取込部３７とを連結させるようにしてもよい。
【００１９】
また、図１、図２、図４に示すように、本体部３０の下面には、支持部材４０が取り付けられており、支持部材４０を支持部５０により支持させることで本体部３０の高さ位置が調整可能になっている。
支持部材４０は、柱状体または筒状体をなしていて、長手方向において所要間隔をあけて支持部材４０の外周面に沿って縮径部４２が形成されている。
支持部５０は、ベース部５２と、ベース部５２を起点として下方側に放射状に延伸する４本の支持脚５４と、ベース部５２に配設されたハンドル５６とを有している。
【００２０】
ハンドル５６の背面側には図示しない雄ねじ部が取り付けられていて、ベース部５２に形成された図示しない雌ねじ部または挿通孔に螺合または挿通可能である。ベース部５２には上下方向に貫通する貫通孔が形成されていて、支持部材４０が挿通可能になっている。ベース部５２に形成された雌ねじ部は貫通孔に連通しており、ハンドル５６に取り付けられている雄ねじ部の先端は支持部材４０の外周面に当接可能になっている。
【００２１】
したがって、支持部５０（ベース部５２）に挿通された支持部材４０は、支持部５０（ベース部５２）に対して支持部材４０と直交するように螺着または挿通された雄ねじ部の先端部が当接することにより、本体部３０を所定の高さ位置となるようにして支持することができる。ハンドル５６に取り付けられた雄ねじ部を支持部材４０の外周面に当接させる位置を支持部材４０の縮径部４２にすれば、雄ねじ部の先端を縮径部４２により確実に係止させることができ、より安定した状態で本体部３０の保持が可能である。この場合、支持部材４０の縮径部４２が係止部として機能し、ハンドル５６に取り付けられた雄ねじ部が係止手段として機能する。
【００２２】
次に、本実施形態に係るスポットクーラ用拡散送風器１０の作用について説明する。
スポットクーラにより生成された冷風は送風口としてのダクトに供給され、スポットクーラ用拡散送風器１０の冷風取込部３７を介して本体部３０に供給される。冷風取込部３７は冷風の風下側の流路断面積が徐々に増加しているため、ダクトから供給された冷風の風速を徐々に低下させながら本体部３０の内部空間に誘導する。
【００２３】
本体部３０の内部空間には回転翼２０が回転可能に収容されており、スポットクーラから供給された冷風により回転翼２０が回転し、冷風が撹拌される。回転翼２０により撹拌された冷風は、ダクトに比べて吹き出し範囲が大幅に拡大された状態で通風カバー３５に形成された複数条のスリット３３から放出されることになる。
【００２４】
このようにしてスポットクーラのダクトから供給された冷風は、スポットクーラ用拡散送風器１０を通過することにより吹き出し範囲が拡大された状態で撹拌風放出部である複数条のスリット３３から放出されることになる。本実施形態においては複数条のスリット３３が形成されている通風カバー３５が正面側部３２の開口面内において回転可能に配設されている。したがって複数条のスリット３３から放出される拡散された冷風は、通風カバー３５の回転によりさらに拡散させることができる。
【００２５】
以上に本実施形態に係るスポットクーラ用拡散送風器１０について、実施形態に基づいて説明したが、本考案に係るスポットクーラ用拡散送風器１０は以上に示した実施形態に限定されるものではない。
例えば、本実施形態においては、回転翼２０の回転駆動源をスポットクーラから供給される冷風の運動エネルギーとしているが、回転翼２０を本体部３０内で回転駆動させるための駆動源が配設された実施形態を採用することもできる。このような回転翼２０の駆動源の一例としては電気モータを用いることができる。
【００２６】
また、本実施形態においては、本体部３０の正面側部３２における正面側の開口面に通風カバー３５を回転可能に装着した実施形態について説明しているが、通風カバー３５を本体部３０（正面側部３２）に固定した構成を採用することもできる。
さらには、通風カバー３５の配設を省略し、正面側部３２の正面側の開口面を露出させ、露出させた開口面を拡散風放出部として用いる構成を採用してもよい。
【００２７】
また、本実施形態においては、支持部５０としてベース部５２に４本の支持脚５４を配設すると共に、ベース部５２に雄ねじ部を有するハンドル５６を配設した構成例を採用しているが、支持部５０は、本体部３０に取り付けられた支持部材４０を確実に支持することができればよく、特に形態が限定されるものではない。
また、支持部材４０の係止部や支持部５０の係止手段の具体的な構成についても本実施形態に限定されるものではなく、他の公知の係止部およびこの係止部に係止可能な公知の係止手段を採用した構成としてもよい。
【符号の説明】
【００２８】
１０：スポットクーラ用拡散送風器
２０：回転翼
３０：本体部  ３２：正面側部  ３３：スリット  ３４：背面側部  ３５：通風カバー
３６：蓋体  ３７：冷風取込部
４０：支持部材  ４２：縮径部
５０：支持部  ５２：ベース部  ５４：支持脚  ５６：ハンドル
【図１】
0003184275.tif 000003
【図２】
0003184275.tif 000004
【図３】
0003184275.tif 000005
【図４】
0003184275.tif 000006